(57)【要約】【課題】  瓦礫による機器の損傷の事態を回避し、浮揚物体の取り出しを容易にするとともに、沈降物体を大小に分別できるようにしてこの沈降物体の取り出しも容易かつ円滑に行うことができるようにした。【解決手段】  水Ｗに浮揚可能な浮揚物体Ｇｆ及び水Ｗに沈降する沈降物体Ｇｓを含む瓦礫Ｇが投入され、この投入された浮揚物体Ｇｆと沈降物体Ｇａとを比重分離する水槽本体１を有した分離水槽Ｔａを備え、水槽本体１の底部４０側に、沈下した沈降物体Ｇｓを受けるとともに所定の大きさ以下の沈降物体Ｇｓを通過させて濾別するスクリーン１０を設け、このスクリーン１０を通過した水Ｗ及び沈降物体Ｇｓを排出管１３を介して貯留槽Ｔｂに排出し、貯留槽Ｔｂ内に沈下した沈降物体Ｇｓをスクリューコンベア４０で取り出して集約できるようにした。【選択図】  図１
2013017983.tif 000002
【特許請求の範囲】
【請求項１】
水に浮揚可能な浮揚物体及び水に沈降する沈降物体を含む瓦礫が投入され該投入された浮揚物体と沈降物体とを比重分離する水槽本体を有した分離水槽を備えた瓦礫の分別システムにおいて、
上記水槽本体の底部側に、沈下した沈降物体を受けるとともに所定の大きさ以下の沈降物体を通過させて濾別するスクリーンを設けたことを特徴とする瓦礫の分別システム。
【請求項２】
上記水槽本体を構成し上記スクリーンより上側の壁面の全部若しくは一部を上記沈降物体がスライド可能な傾斜面にしたことを特徴とする請求項１記載の瓦礫の分別システム。
【請求項３】
上記水槽本体を、上端に矩形状の開口を形成する４つの側壁を備えて構成するとともに、互いに対向する２つの側壁を互いに傾斜させてその下端を連接して該連接部が底部となるように形成し、該水槽本体の底部側に上記スクリーンを設け、該スクリーンと底部との間に該スクリーンを通過した水及び沈降物体を収容する収容空間を設けたことを特徴とする請求項２記載の瓦礫の分別システム。
【請求項４】
上記傾斜面を形成する側壁の上端を上記水槽本体の開口よりも上部に延設して形成した延設部を備えたことを特徴とする請求項３記載の瓦礫の分別システム。
【請求項５】
上記水槽本体の開口であって上記傾斜させた側壁以外の側壁上端に、投入される瓦礫を受けて該水槽本体内に案内するシュータを設けたことを特徴とする請求項３または４記載の瓦礫の分別システム。
【請求項６】
上記スクリーンを通過した水及び沈降物体を外部に排出する排出路を設けたことを特徴とする請求項１乃至５何れかに記載の瓦礫の分別システム。
【請求項７】
上記排出路から排出された水及び沈降物体を貯留する貯留槽を設け、該貯留槽内に貯留された水を汲み上げて上記水槽本体内に送給して水を循環させる循環ポンプを設けたことを特徴とする請求項６記載の瓦礫の分別システム。
【請求項８】
上記貯留槽内に沈下した沈降物体を外部に排出するコンベアを備えたことを特徴とする請求項７記載の瓦礫の分別システム。
【請求項９】
水に消毒剤を混合したことを特徴とする請求項１乃至８何れかに記載の瓦礫の分別システム。
【発明の詳細な説明】
【技術分野】
【０００１】
本発明は、震災等によって発生する瓦礫を、木材などの水に浮揚可能な浮揚物体とコンクリートや金属などの水に沈降する沈降物体とに分離する瓦礫の分別システムに関する。
【背景技術】
【０００２】
従来、この種の瓦礫の分別システムとして、例えば、特許文献１（特開平９−７５７７２号公報）に記載されたものが知られている。これは、水に浮揚可能な浮揚物体及び水に沈降する沈降物体を含む瓦礫を、水槽に投入し、この水槽内で浮揚物体と沈降物体とを比重分離し、水槽の底部に沈下した沈降物体をスクリューコンベヤで水槽の一方の側に押し上げて取り出すとともに、浮揚物体を補給水とともに水槽の上縁を越えて他方の側に溢れさせて取り出すことにより、瓦礫を分別するものである。
【先行技術文献】
【特許文献】
【０００３】
【特許文献１】特開平９−７５７７２号公報
【発明の概要】
【発明が解決しようとする課題】
【０００４】
ところで、この従来の瓦礫の分別システムにおいては、水槽内にスクリューコンベアを入れて沈降物体を水槽外に取り出すようにしているので、水槽に投入される瓦礫がスクリューコンベアに当たってスクリューコンベアを損傷し易く、また、水槽に投入されてもスクリューコンベアが邪魔になって浮揚物体の取り出しが円滑に行われにくいという問題があった。また、沈降物体には、例えば、コンクリートの塊において、大小さまざまな大きさのものがあるので、大きいものになるとスクリューコンベアでの搬送ができにくくなるものもあるという問題があった。そのため、ある程度、水槽に投入する前段階で、細かく破砕する等の工程が必要になり、それだけ、作業を煩雑にしているという欠点があった。
【０００５】
本発明は上記の点に鑑みて為されたもので、瓦礫が投入される水槽内に取り出し用の機器を入れないようにして、瓦礫による機器の損傷の事態を回避し、浮揚物体の取り出しを容易にするとともに、沈降物体を大小に分別できるようにしてこの沈降物体の取り出しも容易かつ円滑に行うことができるようにした瓦礫の分別システムを提供することを目的とする。
【課題を解決するための手段】
【０００６】
このような目的を達成するための本発明の瓦礫の分別システムは、水に浮揚可能な浮揚物体及び水に沈降する沈降物体を含む瓦礫が投入され該投入された浮揚物体と沈降物体とを比重分離する水槽本体を有した分離水槽を備えた瓦礫の分別システムにおいて、
上記水槽本体の底部側に、沈下した沈降物体を受けるとともに所定の大きさ以下の沈降物体を通過させて濾別するスクリーンを設けた構成としている。
尚、水は水槽本体内に連続供給され、あるいは、水が溜まった状態になっている。水槽本体内の水は、排出路を設けて適時に開いて排出する。
【０００７】
ここで、瓦礫とは、例えば震災等によって、住宅やビルなどの建物、橋や道路などの各種施設、自然物等が破壊されて発生する残骸を言い、瓦、石、コンクリート、金属、木材、繊維製品、プラスチックなどの化学製品等を含むあらゆる廃材よりなる混合体を言う。瓦礫は、水に浮揚可能な浮揚物体及び水に沈降する沈降物体を含む。瓦礫の処理には、種々の方法があるが、先ずは、木材、軽いプラスチック等の浮揚物体と、石、コンクリートや金属などの沈降物体とに分別することが有効である。
【０００８】
本発明が対象にする瓦礫は、水槽本体の大きさにもよるが、バケットを備えたショベルローダなどの建設機械によりある程度まとめて集約して投入できる大きさのものであり、比較的軽い浮揚物体はともかくとして、重量のある沈降物体で、１ｍを越えるような大きさのものは予め除いておくことが望ましい。
【０００９】
そのため、上記スクリーンの孔の開口の最大寸法Ｄは、２５ｍｍ≦Ｄ≦２００ｍｍに設定される。好ましくは、３０ｍｍ≦Ｄ≦１００ｍｍ、より好ましくは、４０ｍｍ≦Ｄ≦６０ｍｍである。また、孔の開口率Ａは、５％≦Ａ≦８０％である。好ましくは、８％≦Ａ≦３０％、より好ましくは、１０％≦Ａ≦１５％である。
瓦礫中には種々のものがあるが、この範囲で、スクリーン上に金属等の重い瓦礫を集約することができる。また、開口率を３０％以下にすると、スクリーンの強度が高くなり、金属等の重い瓦礫による、撓みや衝撃に強くなり、それだけ、耐久性が向上させられる。
この場合、例えば、上記スクリーンを、孔を行列状に開設した金属製の板で形成し、該孔の直径ＤをＤ＝６０ｍｍ±５ｍｍに設定し、開口率ＡをＡ＝１０％±２％にしたことが有効である。板状なので、強度が高く、耐久性に優れる。
【００１０】
本発明に係る瓦礫分別システムを用いて、このような瓦礫を分別するときは、ショベルローダやグラップルなどの建設機械により、分離水槽の水槽本体に、瓦礫を投入する。瓦礫が投入されると、水槽本体には水があるので、浮揚物体は浮揚し、沈降物体は沈降する。この際、水槽本体にはコンベアなどの機器類が設けられていないので、これらの機器に瓦礫が当たって損傷させるという事態はない。また、浮揚物体は、水槽本体から溢れ出させ、あるいは、浮揚した状態で、ショベルローダやグラップルなどの建設機械により再び取り出す。この場合、水槽本体にはコンベアなどの機器類が設けられていないので、邪魔になるものがなく、そのため、浮揚物体を容易に取り出すことができる。
【００１１】
更に、水槽本体内では、沈降物体は底部に沈降していくが、底部側には、スクリーンが設けられているので、沈下した沈降物体が受けられ、スクリーンの孔を所定の大きさ以下の沈降物体が水とともに通過して排出される。
これにより、所定の大きさを越える大きさの沈降物体は、スクリーン上に濾別されて残る。この残った、比較的大きな沈降物体は、適時に、ショベルローダやグラップルなどの建設機械により外部に取り出す。そのため、沈降物体の大小の分別も行うことができるので、極めて分別効率が良いものとなる。また、沈降物体が水槽本体内で機器に引っ掛かる等の事態もないことから、沈降物体の取り出しが容易に行われる。スクリーンの孔を通過した沈降物体は、適宜に回収しあるいは排出する。
【００１２】
そして、必要に応じ、上記水槽本体を構成し上記スクリーンより上側の壁面の全部若しくは一部を上記沈降物体がスライド可能な傾斜面にした構成としている。これにより、沈降物体が傾斜面をスライドしてスクリーンに集束し易くなり、そのため、スクリーンでの濾別が確実に行われる。
【００１３】
また、必要に応じ、上記水槽本体を、上端に矩形状の開口を形成する４つの側壁を備えて構成するとともに、互いに対向する２つの側壁を互いに傾斜させてその下端を連接して該連接部が底部となるように形成し、該水槽本体の底部側に上記スクリーンを設け、該スクリーンと底部との間に該スクリーンを通過した水及び沈降物体を収容する収容空間を設けた構成としている。
これにより、互いに対向する２つの側壁を互いに傾斜させてその下端を連接してこれを底部となるように形成したので、簡易な構造で製造を極めて容易にすることができる。また、スクリーンと底部との間に収容空間を設けたことから、沈降物体を収容空間に一時的に収用できるので、間欠的な排出に対応できる。また、連続的な排出においても水量を確保できるので、確実に排出を行うことができる。更に、対向する２つの側壁を傾斜させたので、この側壁の開口縁からショベルローダやグラップルなどの建設機械により浮揚物体を外部に取り出す際に、傾斜に沿ってショベル等を移動させて浮揚物体を掻き出すようにすることも行うが、傾斜していることから浮揚物体を外部に掻き出しやすくなり、それだけ、浮揚物体の取り出しが容易になる。
【００１４】
この場合、上記傾斜面を形成する側壁の上端を上記水槽本体の開口よりも上部に延設して形成した延設部を有したことが有効である。延設部は、ショベルローダやグラップルなどの建設機械により浮揚物体を側壁の傾斜に沿ってショベル等を移動させて浮揚物体を掻き出すようにする際に、水槽本体の開口外で浮揚物体を支持することができるので、より一層、浮揚物体を外部に掻き出しやすくすることができ、浮揚物体の取り出しを容易にすることができる。
【００１５】
更に、必要に応じ、上記水槽本体の開口であって上記傾斜させた側壁以外の側壁上端に、投入される瓦礫を受けて該水槽本体内に案内するシュータを設けた構成としている。取り出し用のショベルローダやグラップルなどの建設機械とは別の方向からシュータを介して瓦礫を投入できるので、瓦礫の投入を容易に行うことができる。
【００１６】
更にまた、必要に応じ、上記スクリーンを通過した水及び沈降物体を外部に排出する排出路を設けた構成としている。この場合、処理に当たっては、排出路が閉じられている場合には、スクリーンの下側に一時的に収用される。そして、排出路を開ければ、水槽本体内の水圧により水及び沈降物体が外部に排出される。また、水圧も沈降物体に係りやすく排出が容易に行われる。尚、水が水槽本体内に連続供給される場合には、排出路から、水及び沈降物体は連続的に外部に排出される。
排出路から排出された水及び沈降物体は、例えば、そのまま、地面に掘った掘削溝に埋め、あるいは、別途設けた貯留槽に溜め、この貯留槽で、二次的に、水と沈降物体とを分離し、沈降物体を別途取り出して集積するようにする。この場合、集積される沈降物体は、所定以下の大きさなので、分粒されていることから、例えば、コンクリートの骨材などとして用いることができる。また、磁石などを用いて、ここから鉄などの金属を取り除くこともできる。
【００１７】
更にまた、必要に応じ、上記排出路から排出された水及び沈降物体を貯留する貯留槽を設け、該貯留槽内に貯留された水を汲み上げて上記水槽本体内に送給して水を循環させる循環ポンプを設けた構成としている。水を循環利用できるので、省力化が図られる。不足した水は、別途補給するようにすればよい。
【００１８】
また、必要に応じ、上記貯留槽内に沈下した沈降物体を外部に排出するコンベアを備えた構成としている。コンベアで沈降物体を取り出すことができるので、二次的に、水と沈降物体とを分離し、沈降物体を集積することができる。そのため、集積される沈降物体は、所定以下の大きさなので、分粒されていることから、例えば、コンクリートの骨材などとして用いることができる。また、磁石などを用いて、ここから鉄などの金属を取り除くこともできる。
【００１９】
そしてまた、必要に応じ、水に消毒剤を混合した構成としている。浮揚物体及び沈降物体共に消毒剤で消毒されるので、衛生上極めて好ましい状態になる。
【発明の効果】
【００２０】
本発明によれば、水槽本体に瓦礫が投入される際、水槽本体にはコンベアなどの機器類が設けられていないので、これらの機器に瓦礫が当たって損傷させるという事態を防止することができる。また、浮揚物体は、水槽本体から溢れ出させ、あるいは、浮揚した状態で、ショベルローダやグラップルなどの建設機械により再び取り出すことができるが、水槽本体にはコンベアなどの機器類が設けられていないので、邪魔になるものがなく、そのため、浮揚物体を容易に取り出すことができる。
【００２１】
更に、水槽本体内では、沈下した沈降物体がスクリーンにより濾別されるので、スクリーン上の所定の大きさを越える大きさの沈降物体は、適時に、ショベルローダやグラップルなどの建設機械により外部に取り出すことができ、そのため、沈降物体の大小の分別も行うことができることから、極めて分別効率が良いものとなる。また、沈降物体が水槽本体内で機器に引っ掛かる等の事態もないことから、沈降物体の取り出しも容易に行うことができる。一方、スクリーンを通過した沈降物体は、間欠的に取出して排出し、あるいは、連続的に取出して排出する。そして、例えば、そのまま、地面に掘った掘削溝に埋め、あるいは、回収してコンクリートの骨材などとして用いることができる。
【図面の簡単な説明】
【００２２】
【図１】本発明の実施の形態に係る瓦礫の分別システムを示す斜視図である。
【図２】本発明の実施の形態に係る瓦礫の分別システムの分離水槽の構成を示し、（ａ）は正面断面図、（ｂ）は平面図、（ｃ）は側面半断面図である。
【図３】本発明の別の実施の形態に係る瓦礫の分別システムを、その、処理手順とともに示す図である。
【発明を実施するための形態】
【００２３】
以下、添付図面に基づいて、本発明の実施の形態に係る瓦礫の分別システムについて詳細に説明する。
図１及び図２に示すように、本発明の実施の形態に係る瓦礫の分別システムは、瓦礫Ｇを分別するものである。ここで、瓦礫Ｇとは、例えば震災等によって、住宅やビルなどの建物、橋や道路などの各種施設等が破壊されて発生する残骸を言い、瓦、石、コンクリート、金属、木材、繊維製品、プラスチックなどの化学製品等を含むあらゆる廃材よりなる混合体を言う。瓦礫Ｇは、水Ｗに浮揚可能な浮揚物体Ｇｆ及び水Ｗに沈降する沈降物体Ｇｓを含む。実施の形態に係る瓦礫Ｇの分別システムは、この浮揚物体Ｇｆと沈降物体Ｇｓとを分離するものである。
【００２４】
本発明の実施の形態に係る瓦礫Ｇの分別システムの基本的構成は、瓦礫Ｇが投入されこの投入された浮揚物体Ｇｆと沈降物体Ｇｓとを比重分離する水槽本体１を有した分離水槽Ｔａと、この分離水槽Ｔａから排出された水Ｗ及び沈降物体Ｇｓを貯留する貯留槽Ｔｂとを備えてなる。
【００２５】
分離水槽Ｔａは、例えば鉄等の金属製の板材を溶接して形成され、水槽本体１とこれを支持する機枠２とを備えて構成されている。機枠２は、４枚の矩形の板材２ａ，２ｂ，２ｃ，２ｄで直方体の筒状に形成されている。機枠２の下端は地面に接地される。水槽本体１は、機枠２を形成する４枚の板材２ａ，２ｂ，２ｃ，２ｄのうち、互いに対向する長手方向の２枚の板材２ａ，２ｂと、他に用意され機枠２内に溶接固定される２枚の板材３ａ，３ｂとで形成されている。詳しくは、水槽本体１は、上端に矩形状の開口３を形成する４つの側壁を備えて構成され、そのうち互いに対向する２つの側壁は、上記他に用意した２枚の板材３ａ，３ｂからなり、互いに傾斜させてその下端を連接してこの連接部が底部４となるように形成されている。他の２つの側壁は、上記機枠２を形成する長手方向の２枚の板材２ａ，２ｂで構成されている。これにより、水槽本体１を構成し後述のスクリーン１０より上側の壁面の全部若しくは一部（実施の形態では一部）であり２つの側壁を構成する板材３ａ，３ｂが、沈降物体Ｇｓがスライド可能な傾斜面に形成されることになる。傾斜面を形成する側壁（板材３ａ，３ｂ）の上端には、水槽本体１の開口３よりも上部に延設して形成された延設部５が備えられている。この分離水槽Ｔａの水槽本体１においては、互いに対向する２つの側壁（板材３ａ，３ｂ）を互いに傾斜させてその下端を連接してこれを底部４となるように形成したので、簡易な構造で製造を極めて容易にすることができる。
【００２６】
水槽本体１の底部４側には、沈下した沈降物体Ｇｓを受けるとともに所定の大きさ以下の沈降物体Ｇｓを通過させて濾別する孔１１を有したスクリーン１０が設けられている。スクリーン１０は、厚さ６〜１２ｍｍ（実施の形態では９ｍｍ）の鉄板を用い、裏面に断面Ｌ字のアングル部材からなる補強材１０ａを、所定間隔で列設しこれらの両端を溶接により固定して、補強している。例えば、スクリーン１０の孔１１の開口の最大寸法Ｄは、２５ｍｍ≦Ｄ≦２００ｍｍに設定される。好ましくは、３０ｍｍ≦Ｄ≦１００ｍｍ、より好ましくは、４０ｍｍ≦Ｄ≦６０ｍｍである。また、孔の開口率Ａは、５％≦Ａ≦８０％である。好ましくは、８％≦Ａ≦３０％、より好ましくは、１０％≦Ａ≦１５％である。
瓦礫中には種々のものがあるが、この範囲で、スクリーン１０上に金属等の重い瓦礫を集約することができる。また、開口率を３０％以下にすると、スクリーン１０の強度が高くなり、金属との重い瓦礫による、撓みや衝撃に強くなり、それだけ、耐久性が向上させられる。
実施の形態では、スクリーン１０を、孔１１を行列状に開設した金属製の板で形成し、孔１１の直径ＤをＤ＝６０ｍｍ±５ｍｍに設定し、例えば、Ｄ＝６０ｍｍにし、開口率ＡをＡ＝１０％±２％にし、例えば、Ａ＝１１．５％に設定している。板状なので、強度が高く、耐久性に優れる。
【００２７】
この水槽本体１において、スクリーン１０と底部４との間には、スクリーン１０を通過した水Ｗ及び沈降物体Ｇｓを収容する収容空間１２が設けられる。また、収容空間１２を構成する側壁（実施の形態では機枠２を形成する長手方向の２枚の板材（２ａ，２ｂ）の一方の側壁（板材２ｂ）には、スクリーン１０を通過した収容空間１２からの水Ｗ及び沈降物体Ｇｓを外部に排出する排出路としての排出管１３が突設されている。
【００２８】
また、水槽本体１の開口であって傾斜させた側壁以外の側壁（実施の形態では機枠２を形成する長手方向の２枚の板材２ａ，２ｂ）であって、排出管１３が設けられた側壁（板材２ｂ）とは別の他方の側壁（板材２ａ）の上端には、投入される瓦礫Ｇを受けて水槽本体１内に案内するシュータ１５が外側に突出して設けられている。シュータ１５はスライド板１５ａと、スライド板１５ａの左右に立ちあがり形成された一対の側板１５ｂとから構成されている。
【００２９】
貯留槽Ｔｂは、分離水槽Ｔａの水槽本体１から排出された水Ｗ及び沈降物体Ｇｓを貯留するもので、水槽本体１から突設された排出管１３が貯留槽Ｔｂの開口２１の上側に位置するように、分離水槽Ｔａの機枠２下端よりも下位に設けられている。実施の形態では、分離水槽Ｔａの機枠２が接地される地面に隣接した地面を掘削して掘削溝２０を形成し、貯留槽Ｔｂは、この掘削構２０内に設けられている。貯留槽Ｔｂは例えば鉄等の金属製の板材で矩形箱状に形成されている。
【００３０】
また、貯留槽Ｔｂ内に貯留された水Ｗを汲み上げて水槽本体１内に送給して水Ｗを循環させる循環ポンプ３０が設けられている。循環ポンプに至りポンプ３０に接続された吸入管３１の吸入口にはフィルタ３２が設けられている。３３はポンプ３０からの水Ｗを水槽本体１内に送給する送給管である。更に、水槽本体１内の水Ｗが不足したならば、水Ｗを補給する水供給管（図示せず）が別途設けられている。
更にまた、貯留槽Ｔｂ内に沈下した沈降物体Ｇｓを外部に排出するスクリューコンベア４０が備えられている。スクリューコンベア４０は、貯留槽Ｔｂの底部４に対して斜めに設置され、回転により貯留槽Ｔｂの底部４に沈下した沈降物体Ｇｓを貯留槽Ｔｂの外部に排出して集積する。
また、本システムにおいては、水Ｗに消毒剤Ｓを混合している。消毒剤Ｓとしては、例えば、消石灰が用いられる。消毒剤Ｓはこれに限定されない。浮揚物体Ｇｆ及び沈降物体Ｇｓ共に消毒剤Ｓで消毒されるので、衛生上極めて好ましい状態になる。
【００３１】
従って、この実施の形態に係る瓦礫の分別システムにより瓦礫Ｇを分別するときは、以下のようにする。この際には、水槽本体１に水Ｗを満たし、循環ポンプ３０を駆動して水Ｗを循環させておく。
ショベルローダやグラップルなどの建設機械により、分離水槽Ｔａのシュータ１５を介して瓦礫Ｇを水槽本体１に投入する。シュータ１５を介して瓦礫Ｇを投入できるので、瓦礫Ｇの投入を容易に行うことができる。瓦礫Ｇが投入されると、水槽本体１には水Ｗがあるので、浮揚物体Ｇｆは浮揚し、沈降物体Ｇｓは沈降する。この際、水槽本体１にはスクリューコンベアなどの機器類が設けられていないので、これらの機器に瓦礫Ｇが当たって損傷させるという事態はない。また、スクリーン１０より上側の壁面の一部（板材３ａ，３ｂ）が傾斜面になっているので、沈降物体Ｇｓが傾斜面をスライドしてスクリーン１０に集束し易くなる。
【００３２】
浮揚物体Ｇｆは、水槽本体１から溢れ出させ、あるいは、浮揚した状態で、ショベルローダやグラップルなどの建設機械により再び取り出す。この場合、水槽本体１にはコンベア４０などの機器類が設けられていないので、邪魔になるものがなく、そのため、浮揚物体Ｇｆを容易に取り出すことができる。更に、対向する２つの側壁板材（３ａ，３ｂ）を傾斜させたので、この側壁の開口３縁からショベルローダやグラップルなどの建設機械により浮揚物体Ｇｆを外部に取り出す際に、傾斜に沿ってショベル等を移動させて浮揚物体Ｇｆを掻き出すようにすることも行うが、傾斜していることから浮揚物体Ｇｆを外部に掻き出しやすくなり、それだけ、浮揚物体Ｇｆの取り出しが容易になる。更に、傾斜面を延設した延設部５があり、この延設部５は、ショベルローダやグラップルなどの建設機械により浮揚物体Ｇｆを側壁の傾斜に沿ってショベル等を移動させて浮揚物体Ｇｆを掻き出すようにする際に、水槽本体１の開口３外で浮揚物体Ｇｆを支持することができるので、より一層、浮揚物体Ｇｆを外部に掻き出しやすくすることができ、浮揚物体Ｇｆの取り出しを容易にすることができる。
【００３３】
一方、水槽本体１内では、沈降物体Ｇｓは底部４に沈降していくが、底部４側には、スクリーン１０が設けられているので、沈下した沈降物体Ｇｓが受けられ、スクリーン１０の孔１１を所定の大きさ以下の沈降物体Ｇｓが水Ｗとともに通過して排出される。この場合、スクリーン１０より上側の壁面の一部（板材３ａ，３ｂ）が傾斜面になっているので、沈降物体Ｇｓが傾斜面をスライドしてスクリーン１０に集束し易くなり、そのため、スクリーン１０での濾別が確実に行われる。また、水圧も沈降物体Ｇｓに係りやすく排出が容易に行われる。そして、スクリーン１０を通過した水Ｗ及び沈降物体Ｇｓは排出管１３を通して貯留槽Ｔｂに連続的に移送されていく。この場合、スクリーン１０と底部４との間に収容空間１２を設けたことから、水量を確保できるので、確実に排出を行うことができる。
【００３４】
これにより、所定の大きさを越える大きさの沈降物体Ｇｓは、スクリーン１０上に濾別されて残る。この残った比較的大きな沈降物体Ｇｓは、適時に、ショベルローダやグラップルなどの建設機械により外部に取り出す。そのため、沈降物体Ｇｓの大小の分別も行うことができるので、極めて分別効率が良いものとなる。また、沈降物体Ｇｓが水槽本体１内で機器に引っ掛かる等の事態もないことから、沈降物体Ｇｓの取り出しが容易に行われる。
【００３５】
また、貯留槽Ｔｂにおいては、排出管１３から排出された水Ｗ及び沈降物体Ｇｓが沈降して底部４に溜まるが、スクリューコンベア４０を駆動することにより、貯留槽Ｔｂ内に沈下した沈降物体Ｇｓを外部に排出することができる。スクリューコンベア４０で沈降物体Ｇｓを取り出すことができるので、二次的に、水Ｗと沈降物体Ｇｓとを分離し、沈降物体Ｇｓを集積することができる。そのため、集積される沈降物体Ｇｓは、所定以下の大きさなので、分粒されていることから、例えば、コンクリートの骨材などとして用いることができる。また、磁石などを用いて、ここから鉄などの金属を取り除くこともできる。貯留槽Ｔｂ内に貯留された水Ｗは、循環ポンプ３０により汲み上げられて再び水槽本体１内に送給されるので、水Ｗを循環利用でき、そのため、省力化が図られる。不足した水Ｗは、別途補給するようにすればよい。
【００３６】
図３には、別の実施の形態に係る瓦礫の分別システムを示している。これは、上記と異なって、瓦礫Ｇが投入されこの投入された浮揚物体Ｇｆと沈降物体Ｇｓとを比重分離する水槽本体１を有した分離水槽Ｔａのみで構成されており、分離水槽Ｔａには、スクリーン１０を通過した収容空間１２からの水Ｗ及び沈降物体Ｇｓを外部に排出する排出路としての排出管１３は設けられていない。また、分離水槽Ｔａは、地面を掘削したところに直接設けられており、例えばコンクリートあるいは鉄等の金属製の板材を溶接して形成されている。他は上記と同様である。
【００３７】
従って、この別の実施の形態に係る瓦礫の分別システムにより瓦礫Ｇを分別するときは、以下のようにする。先ず、水槽本体１に消毒薬Ｓを混入した水Ｗを満たし、ショベルローダやグラップルなどの建設機械により、瓦礫Ｇを水槽本体１に投入する（図３（ａ））。瓦礫Ｇが投入されると、水槽本体１には水Ｗがあるので、浮揚物体Ｇｆは浮揚し、沈降物体Ｇｓは沈降する（図３（ｂ））。この際の作用，効果は上記と同様である。浮揚物体Ｇｆは、浮揚した状態で、ショベルローダやグラップルなどの建設機械により再び取り出す（図３（ｃ））。この取出した浮揚物体Ｇｆは、ふるい機に掛ける等して更に分別することができる。
【００３８】
一方、水槽本体１内では、沈降物体Ｇｓは底部４に沈降していくが、底部４側には、スクリーン１０が設けられているので、沈下した沈降物体Ｇｓが受けられ、スクリーン１０の孔１１を所定の大きさ以下の沈降物体Ｇｓが通過し、所定の大きさを越える大きさの沈降物体Ｇｓは、スクリーン１０上に濾別されて残る（図３（ｄ））。この残った比較的大きな沈降物体Ｇｓは、適時に、ショベルローダやグラップルなどの建設機械により外部に取り出す（図３（ｅ））。
【００３９】
また、スクリーン１０の孔１１を通過した所定の大きさ以下の沈降物体Ｇｓは、水槽本体１の底に溜まる。この底に溜まった沈降物体Ｇｓは、適時に、スクリーン１０を外して、バキューム装置等により外部に取り出す（図３（ｆ））。この沈降物体Ｇｓは、所定以下の大きさなので、分粒されていることから、例えば、コンクリートの骨材などとして用いることができる。このシステムによっても、瓦礫Ｇの分別が円滑に行われる。
【００４０】
尚、上記先に示した実施の形態では、水Ｗを循環ポンプ３０により連続的に供給するようにしたが、必ずしもこれに限定されるものではなく、排出管１３に開閉バルブを設けて、これを閉じて水Ｗが溜まった状態にして瓦礫Ｇを投入し、ある程度の投入がなされたら、開閉バルブを開けて、排出管１３を開にし、スクリーン１０を通過した水Ｗ及び沈降物体Ｇｓを貯留槽Ｔｂに移送するようにし、間欠的に排出しても良い。この場合、スクリーン１０と底部４との間に収容空間１２を設けたことから、沈降物体Ｇｓを収容空間１２に一時的に収用できるので、間欠的な排出に対応できる。
【００４１】
また、上記実施の形態では、掘削構２０内に貯留槽Ｔｂを設けたが、必ずしもこれに限定されるものではなく、掘削溝２０を貯留槽Ｔｂとして構成しても良く、適宜変更して差し支えない。また、貯留槽Ｔｂを設けることなく、例えば、そのまま、沈降物体Ｇｓを掘削溝２０に埋めるようにしても良い。この場合、掘削溝２０から水Ｗは排出するようにすればよい。スクリューコンベア４０は不要になる。
また、水槽本体１は、鉄等の金属製の板材を溶接して形成されるものに限定されるものではなく、例えば、コンクリートで形成する等適宜変更して差し支えない。
【産業上の利用可能性】
【００４２】
平成２３年（２０１１年）３月１１日の「東日本大震災」では、三陸沖を震源に国内観測史上最大のＭ９．０の地震が発生し、これに伴って巨大津波が来襲し、震源地にほど近い東北地方の沿岸に沿った広範囲の地域において、都市や漁村等の市街地の多くが破壊され、多数の人が犠牲となった。また、これに伴って、住宅やビルなどの建物、橋や道路などの各種施設や自然物等が広範囲にわたって破壊され、瓦、石、コンクリート、金属、木材、繊維製品、プラスチックなどの化学製品等を含む極めて大量の瓦礫Ｇが生じた。そのため、復興においては、この瓦礫Ｇの処理が不可欠であるが、本発明の瓦礫Ｇの分別システムは、簡易な構造で設置も容易であり、操作性も良いことから、この瓦礫Ｇの処理に極めて有用に機能すると考えられる。
【符号の説明】
【００４３】
Ｔａ  分離水槽
Ｔｂ  貯留槽
Ｇ  瓦礫
Ｇｆ  浮揚物体
Ｇｓ  沈降物体
Ｗ  水
Ｓ  消毒剤
１  水槽本体
２  機枠
２ａ，２ｂ  板材（側壁）
２ｃ，２ｄ  板材
３  開口
３ａ，３ｂ  板材（側壁）
４  底部
５  延設部
１０  スクリーン
１０ａ  補強材
１１  孔
１２  収容空間
１３  排出管
１５  シュータ
２０  掘削溝
３０  循環ポンプ
３１  吸入管
３２  フィルタ
３３  送給管
４０  スクリューコンベア
【図１】
2013017983.tif 000003
【図２】
2013017983.tif 000004
【図３】
2013017983.tif 000005